(57)【要約】【課題】合成物が湿気を遠ざけ、防虫、隔熱効果を具える。二層式タイルは公知タイルが具える環境への適応及び製造コストを下げる効果も兼ね備える二層式タイルを提供する。【解決手段】二層式タイルは、上層部と下層部を含み、両者間は粘着方式で結合する。そのうち、上層部実木もしくは石材で構成し、下層部係木材プラスチック合成物から構成される。この合成物は湿気を遠ざけ、防虫、隔熱効果を具える。二層式タイルは公知タイルが具える環境への適応及び製造コストを下げる効果も兼ね備える。【選択図】図１
0003134269.tif 000002
【実用新案登録請求の範囲】
【請求項１】
上層部と下層部から構成された二層式タイルにおいて、そのうち、
下層部は、防湿、隔熱機能を具えた材質構造であることを特徴とする二層式タイル。
【請求項２】
前記上層部は、多片式で構成されることを特徴とする請求項１記載の二層式タイル。
【請求項３】
前記下層部は、その本体に複数の隙間を設置することを特徴とする請求項１記載の二層式タイル。
【請求項４】
前記下層部は、側辺が相互に嵌合する構造であることを特徴とする請求項１記載の二層式タイル。
【請求項５】
前記下層部は、その本体の下方に複数の凹槽もしくは類似の粗面を設置することを特徴とする請求項１記載の二層式タイル。
【請求項６】
前記相互に嵌合する構造は、凸起と凹溝とすることを特徴とする請求項４記載の二層式タイル。
【考案の詳細な説明】
【技術分野】
【０００１】
本考案は、タイルに関するもので、二層構造のものである。
【背景技術】
【０００２】
室内、外に設置するタイルは主に、石質タイル、木製タイル及びプラスチックタイル等を含み、そのうち石質タイルは磁器土を焼結してタイルにしたものも含む。
【特許文献１】特開平８−２２４７１７号公報
【考案の開示】
【考案が解決しようとする課題】
【０００３】
解決しようとする問題点は、下述のとおりである。
高級な実木(例としてチーク、樫、ヒノキ等)、石材(例として花崗岩、玉石等)は手に入りにくく、価格も高い。
実木、石材等タイルは環境の影響を受けやすく、例として設置する位置が高湿度であったり、害虫がいたり、温度変化が大きかったりすると、これらが原因となり、実木、石材等が損壊しやすい。
また石材等のタイルを地面に敷設した場合、高温高湿の空気に吹き上げられると、温度差によって、タイル面上に水気が凝結し、利用者に影響を及ぼすだけでなく、タイル自身も損害を受ける。
施工時の貼り合わせの問題は、実木、石材等に影響を与える。例として貼り合わせ面が揃わない、施工底層が平らでない、またはしっかりと出来ていない等の時、タイルを損壊してしまう。
【課題を解決するための手段】
【０００４】
本考案はプラスチック混合木材繊維、木粉等物質によって、各型式の柱状もしくは板状物体（以下“木材プラスチック”と略称）に製造し、既に極めて普遍的に室内、外、遊戯施設、野外亭、欄干、登山歩道等々に利用されており、湿気、腐蝕、亀裂、虫害、ペンキ保護等に対して効果を達成している。
【０００５】
本考案は、上層部と下層部を含み、両者間は粘着方式で結合する。そのうち、上層部実木もしくは石材で構成し、下層部係木材プラスチック合成物から構成されることを最も主要な特徴とする。
【考案の効果】
【０００６】
本考案の二層式タイルは、この合成物が湿気を遠ざけ、防虫、隔熱効果を具える。二層式タイルは公知タイルが具える環境への適応及び製造コストを下げる効果も兼ね備えるという利点がある。
【考案を実施するための最良の形態】
【０００７】
一種の二層式タイルを提供し、その上層部は実木、石材もしくはプラスチック等物質から製造され、その下層部は木材プラスチック等合成物で構成される。上層と下層間は粘着等方式で結合し、下層部は湿気を遠ざけ、防虫、（白蟻など）隔熱等効果を具える事を本考案の主な目的とする。
【０００８】
一種の二層式タイルを提供し、そのうち下層部の本体は複数の仕切り空間を具え、それら空間によって変形を防止する効果の他に、並重量を抑え、隔熱効果を具えることを本考案の次の目的とする。
【０００９】
一種の二層式タイルを提供し、そのうち下層部の側辺は異なるユニットの二層式タイルとの間で凸起及び凹溝(もしくは凹孔)と相互に嵌合することを本考案の更に次の目的とする。
【００１０】
一種の二層式タイルを提供し、そのうち下層部の下方に複数の凹陷、凸起もしくは粗面を具え、それにより各種平面上で有効に結合することを本考案の更に別の目的とする。
【００１１】
本考案の二層式タイルは、上述の効果の他に、実木もしくは石材等の厚みを減らし、高級実木の伐採及び天然石鉱物の採掘を減らすことにより、これらの高価な材料の運用コストを下げる。更に公知の実木もしくは石材等では不適合であった施工表面にも本考案は適合する。
【実施例１】
【００１２】
図１、図２、図３に示すとおり、本考案は本案ユニット状の板状構体で主に少なくとも上層部１０及び下層部２０を含む。
【００１３】
上層部１０は、ユニット状体の上層板面から構成され、石材、木材等でもよく、その構造は単一の板体もしくは複数の板体を組み合わせたユニット状体でもよい。上層部１０の上方１１が本考案タイル施工後の表面で上層部１０の下方１２と下層部２０は粘着等方式で結合する（結合方式は制限を受けない）。
【００１４】
下層部２０はプラスチック、木繊維等混合精製された木材プラスチックである。この木材プラスチック熱搾り出し成型により、可塑構体となる。図に示すとおり、下層部２０の形状と上層部１０は対応し、下層部２０の上方２１は、上層部１０の下方１２と結合する平面を具える。この平面は、平滑面もしくは粗面とし、この結合は粘着もしくはその他方式の嵌合でもよい。下層部２０は若干の厚みを具え、その厚みには若干の中空の隙間２２を形成し、それによって下層部２０が安定した構造となり、変形を防止する効果を具える他に、軽量、熱や湿気を遠ざける。
【００１５】
下層部２０の本体の側面には凸起２３及び凹溝２４を設置する。これらの凸起２３及び凹溝２４は相互に嵌合して結合し、二層式タイルのユニットとユニット間を相互に結合し、大面積の施工を行う。但し、図に示す構造に制限されることはない。
【実施例２】
【００１６】
図４に示すのは別の一実施例である。そのうち、下層部２０の本体の下方に複数の凹槽２５もしくは類似の粗面を設置し、その凹槽２５と施工面を結合しやすくする。ここでの施工面とはセメント面、土面等を指し、本考案の下層部２０材質の防湿、隔熱等効果によって、公知タイルでは不適合な位置での施工にも対応する。
【実施例３】
【００１７】
図５は更に別の一実施例である。そのうち上層部１０は多片組合せ構造で、下層部２０上方に於いてその片の貼り合わせ、結合を行い、更に美観を高める効果を具える。
【００１８】
本考案で提示したものは良好な実施例で、局部の変更もしくは修飾はすべて本考案の技術的思考によるものとし、本考案の範囲に属する。
【図面の簡単な説明】
【００１９】
【図１】本考案の分解断面図である。
【図２】本考案の立体図である。
【図３】本考案の断面図である。
【図４】本考案の別の一実施例（一）である。
【図５】本考案の別の一実施例（二）である。
【符号の説明】
【００２０】
１０        上層部
１１        上方
１２        下方
２０        下層部
２１        上方
２２        隙間
２３        突起
２４        凹溝
２５        凹槽
【図１】
0003134269.tif 000003
【図２】
0003134269.tif 000004
【図３】
0003134269.tif 000005
【図４】
0003134269.tif 000006
【図５】
0003134269.tif 000007